(57)【要約】【課題】光アダプタをパネルに貫通状に装着してガタつきを確実に解消可能な光アダプタ取付け用金具と、その取付け用金具を備えた光アダプタを提供する。【解決手段】光アダプタ１の外面部に配設される光アダプタ取付け用金具４に、連結板部５と、この連結板部５の両端からほぼ直角に屈曲されて延びた１対の対向する側板部６，６とを形成し、各側板部６，６に、その中段部を外側へ切り起して前方側の先端部が前記パネル１８に接近対向するように形成した弾性係止爪８，８と、この弾性係止爪８，８よりも連結板部５側に位置する第１側板片１０，１０と、前記の弾性係止爪８，８に対し第１側板片１０，１０と反対側に位置する第２側板片１１，１１とを形成し、第２側板片１１，１１の前端部から連結板部５側へ且つ光アダプタ側へ傾斜状に延びる第１弾性係合部１３，１３を設けた。【選択図】図２
2007187891.tif 000002
【特許請求の範囲】
【請求項１】
光アダプタの外面部に配設され、パネルの装着穴に貫通状に装着される光アダプタをパネルに固定する為の金属薄板製の光アダプタ取付け用金具において、
前記光アダプタ取付け用金具は、連結板部と、この連結板部の両端からほぼ直角に屈曲され且つ連結板部の前後両端よりも前後両方へ延びる１対の対向する側板部とを備え、
各側板部に、その中段部を外側へ切り起して前方側の先端部が前記パネルに接近対向するように形成した弾性係止爪と、この弾性係止爪よりも連結板部側に位置し前端側が自由端の第１側板片と、前記の弾性係止爪に対し第１側板片と反対側に位置し前端側が自由端の第２側板片とを形成し、
前記パネルの装着穴に係合される第２側板片の前端部から連結板部側へ且つ光アダプタ側へ傾斜状に延びる第１弾性係合部を設けた、
ことを特徴とする光アダプタ取付け用金具。
【請求項２】
前記第１側板片の前端部分に、前方ほど光アダプタから離隔するように傾斜し且つ前記パネルの装着穴に係合する第２弾性係合部を設けたことを特徴とする請求項１に記載の光アダプタ取付け用金具。
【請求項３】
パネルに貫通状に装着される光アダプタにおいて、
前記光アダプタの外面部に配設されて、パネルに貫通状に装着された光アダプタをパネルに固定する為の取付け用金具を設け、
前記取付け用金具は、連結板部と、この連結板部の両端からほぼ直角に屈曲され且つ連結板部の前後両端よりも前後両方へ延びる１対の対向する側板部とを備え、
各側板部に、その中段部を外側へ切り起して前方側の先端部が前記パネルに接近対向するように形成した弾性係止爪と、この弾性係止爪よりも連結板部側に位置し前端側が自由端の第１側板片と、前記の弾性係止爪に対し第１側板片と反対側に位置し前端側が自由端の第２側板片とを形成し、
前記パネルの装着穴に係合される第２側板片の前端部から連結板部側へ且つ光アダプタ側へ傾斜状に延びる第１弾性係合部を設けた、
ことを特徴とする光アダプタ。
【発明の詳細な説明】
【技術分野】
【０００１】
本発明は、光アダプタ取付け用金具及び光アダプタに関し、特に光アダプタをパネルの装着穴に貫通状に装着した状態で光アダプタがガタつくのを防止するアダプタ取付け用金具の構造を改良した技術に関する。
【背景技術】
【０００２】
従来、光通信部品としての光コネクタは、光ファイバの端部を夫々保持する、ＳＣ形やＭＵ形の１対のプラグと、これら１対のプラグを対向状に挿入装着可能な１対のプラグ装着孔を有するアダプタとで構成されている。各プラグのフェルールに光ファイバの端部が挿入され、フェルールの端面と光ファイバの端面が面一になるように保持されている。
【０００３】
１対のプラグがアダプタに装着されると、１対のフェルールの端面同士が突き合わされて、１対の光ファイバの端面同士が光学的に接続される。ところで、光アダプタは、例えば、厚さ１．６ mm のアルミ製の取付けパネルに、１列に又は複数列に併設されて貫通状に装着される。この場合、光アダプタの外面部にはバネ板製の取付け用金具が配設され、光アダプタを取付け用金具を介してパネルの装着穴に容易に固定できるようにしたものが種々提案されている。
【０００４】
例えば、特許文献１に記載の光アダプタ取付け用金具は、この光アダプタの外面部に配設される光アダプタ取付け用金具であり、光アダプタをパネルの装着穴に貫通状に装着した状態における光アダプタのガタつきを防止する為のものである。この光アダプタ取付け用金具には、連結板部と、この連結板部の両端からほぼ直角に屈曲され且つ連結板部の前後両端よりも前後両方へ延びる１対の対向する側板部とが設けられている。
各側板部には、外周枠部と、この外周枠部の中段部を外側へ切り起した弾性係止爪とが形成され、外周枠部のうちパネルの装着穴の内面に対面する前端部分には、装着穴の内面の一部に弾性的に係合する湾曲状係合部とが一体形成されている。
【特許文献１】実用新案登録第３１１１７１１号公報
【発明の開示】
【発明が解決しようとする課題】
【０００５】
特許文献１の光アダプタ取付け用金具を光アダプタの外面部に装着してパネルの装着穴に装着した場合に、装着穴の左右端縁と光アダプタの左右の側面間の隙間が適当な大きさである場合には、湾曲状係合部の微小弾性変形を介して、光アダプタをガタつかないようにパネルに固定することができる。
【０００６】
しかし、この光アダプタ取付け用金具においては、湾曲状係合部の上下両端が外周枠部に一体的に連結されており、湾曲状係合部の前後方向の長さも小さいため、湾曲状係合部の弾性変形許容量が非常に小さく、バネ弾性が不十分である。しかも、外周枠部は枠状に形成され、弾性変形しにくい形状に構成され、バネ弾性がほとんどない。
【０００７】
そのため、パネルの装着穴の幅寸法が狭く、装着穴の左右内面と光アダプタの左右の側面との間の隙間が小さい場合、取付け用金具の湾曲係合部が平板状に弾性変形しないため、湾曲係合部を装着穴の内部に挿入できず、光アダプタをパネルに装着できないという問題がある。また、装着穴の左右端縁と光アダプタの左右の側面との間の隙間が大きい場合には、湾曲係合部が装着穴の内面に弾性的に係合しないため、光アダプタをパネルにガタツキなく固定することができない。
【０００８】
本発明の目的は、パネルの装着穴の左右幅寸法が小さい場合にも大きい場合にも、光アダプタをパネルの装着穴にガタツキなく取付け可能な光アダプタ用取付け金具、及びこの光アダプタ用取付け金具を備えた光アダプタを提供することである。
【課題を解決するための手段】
【０００９】
請求項１の光アダプタ取付け用金具は、光アダプタの外面部に配設され、パネルの装着穴に貫通状に装着される光アダプタをパネルに固定する為の金属薄板製の光アダプタ取付け用金具において、光アダプタ取付け用金具は、連結板部と、この連結板部の両端からほぼ直角に屈曲され且つ連結板部の前後両端よりも前後両方へ延びる１対の対向する側板部とを備え、各側板部に、その中段部を外側へ切り起して前方側の先端部が前記パネルに接近対向するように形成した弾性係止爪と、この弾性係止爪よりも連結板部側に位置し前端側が自由端の第１側板片と、前記の弾性係止爪に対し第１側板片と反対側に位置し前端側が自由端の第２側板片とを形成し、パネルの装着穴に係合される第２側板片の前端部から連結板部側へ且つ光アダプタ側へ傾斜状に延びる第１弾性係合部を設けたものである。
【００１０】
光アダプタ取付け用金具を光アダプタの外面部に装着した状態では、各第１弾性係合部の先端部が光アダプタの側面に当接し、第２側板片の前方側ほど光アダプタから離隔した傾斜状態となる。この取付け用金具を取付けた光アダプタをパネルの装着穴に貫通状に装着するとき、弾性係止爪が光アダプタ側に弾性変形し、装着穴を通過後には元の切り起し姿勢に復帰し、その先端がパネルの外面（表面）に接近対向するようになるため、光アダプタは、パネルから外れることはない。
【００１１】
光アダプタを取付け用金具と共にパネルの装着穴に装着した状態では、第２側板片が装着穴の内面に当接し、第１弾性係合部が光アダプタの側面に当接状態となって、各側板部の第２側板片と第１弾性係合部が弾性変形状態となり、光アダプタがガタつくことなく装着穴に装着保持された状態となる。
【００１２】
この光アダプタ取付け用金具では、第２側板片の前端が自由端であるため、第２側板片のバネ弾性（弾性変形許容量）を大きくとることができる。しかも、第１弾性係合部が第２側板片の前端から連結板側へ且つ光アダプタ側へ傾斜状に延びる構成で、第１弾性係合部の先端も自由端であるため、第１弾性係合部のバネ弾性（弾性変形許容量）を大きくとることができるうえ、光アダプタと取付け用金具とを装着穴に装着する際に、第２側板片が装着穴の内面に摺接するため円滑に装着できる。
【００１３】
請求項２の光アダプタ取付け用金具は、請求項１の発明において、第１側板片の前端部分に、前方ほど光アダプタから離隔するように傾斜し且つパネルの装着穴に係合する第２弾性係合部を設けたものである。
【００１４】
請求項３の光アダプタは、パネルに貫通状に装着される光アダプタにおいて、光アダプタの外面部に配設されて、パネルに貫通状に装着された光アダプタをパネルに固定する為の取付け用金具を設け、取付け用金具は、連結板部と、この連結板部の両端からほぼ直角に屈曲され且つ連結板部の前後両端よりも前後両方へ延びる１対の対向する側板部とを備え、各側板部に、その中段部を外側へ切り起して前方側の先端部が前記パネルに接近対向するように形成した弾性係止爪と、この弾性係止爪よりも連結板部側に位置し前端側が自由端の第１側板片と、前記の弾性係止爪に対し第１側板片と反対側に位置し前端側が自由端の第２側板片とを形成し、パネルの装着穴に係合される第２側板片の前端部から連結板部側へ且つ光アダプタ側へ傾斜状に延びる第１弾性係合部を設けたものである。
【００１５】
この光アダプタは、パネルに貫通状に装着された光アダプタをパネルに固定する為の取付け用金具であって、請求項１の光アダプタ取付け用金具と同様の取付け用金具を備えたものであるので、この取付け用金具の作用については請求項１と同様である。
【発明の効果】
【００１６】
請求項１の光アダプタ取付け用金具は、連結板部と１対の側板部とを備え、各側板部は、弾性係止爪と第１側板片と第２側板片とを有し、第２側板片の前端部から連結板側へ且つ光アダプタ側へ傾斜状に延びる第１弾性係合部を設けたので、光アダプタを取付け用金具を介してパネルの装着穴に貫通状に装着した状態では、光アダプタの側面と装着穴の内面との間の隙間の大きさに応じて、第１弾性係合部が弾性変形状態となり、第１弾性係合部の先端が光アダプタの側面に当接係合し、第２側板片の前端部が装着穴の内面に当接係合するため、光アダプタがガタつきなく、パネルに強固に固定することができる。
【００１７】
請求項２の光アダプタ取付け用金具によれば、請求項１の発明において、第１側板片の前端部分に、前方ほど光アダプタから離隔するように傾斜し且つパネルの装着穴に係合する第２弾性係合部を設けたので、第２弾性係合部が光アダプタ側へ弾性変形して、装着穴の内面の一部に弾性的に係合するので、光アダプタをパネルにガタツキなく強固に固定保持することができる。
【００１８】
請求項３の光アダプタによれば、パネルに貫通状に装着される光アダプタは、この光アダプタの外面部に配設されて、パネルに貫通状に装着された光アダプタをパネルに固定する為の取付け用金具を設け、この取付け用金具は、請求項１と同様に構成されているため、請求項１とほぼ同様の効果が得られる。
【発明を実施するための最良の形態】
【００１９】
本発明に係る光アダプタ取付け用金具は、パネルの装着穴に貫通状に装着される光アダプタをパネルに固定する為の金属薄板製の光アダプタ取付け用金具であり、この光アダプタ取付け用金具は、連結板部と、この連結板部の両端からほぼ直角に屈曲され且つ連結板部の前後両端よりも前後両方へ延びる１対の対向する側板部とを備え、各側板部に、その中段部を外側へ切り起して前方側の先端部が前記パネルに接近対向するように形成した弾性係止爪と、この弾性係止爪よりも連結板部側に位置し前端側が自由端の第１側板片と、前記の弾性係止爪に対し第１側板片と反対側に位置し前端側が自由端の第２側板片とを形成し、パネルの装着穴に係合される第２側板片の前端部から連結板側へ且つ光アダプタ側へ傾斜状に延びる第１弾性係合部を設けたものである。
【実施例】
【００２０】
以下、本発明の実施例について図面を参照して説明する。本実施例は、ＬＣ形コネクタの光アダプタに本発明を適用した場合の一例である。図１に示すように、この光アダプタ１は、光ファイバーの端部を支持したフェルールが組み込まれた１対のＬＣ型プラグを接続する為のもので、取付けパネルに貫通状に装着して固定保持されるものである。
【００２１】
光アダプタ１は、内部に前記プラグを挿入して保持可能なプラグ装着孔などを夫々有する１対の合成樹脂製のハウジング２，３と、片方のハウジング２の外面部に配設された光アダプタ取付け用金具４とを備えている。この取付け用金具４は、取付けパネルの装着穴に貫通状に装着される光アダプタ１を取付けパネルに固定保持する為のものである。  
【００２２】
これらハウジング２，３の各々の対峙側端部に、相互に当接するフランジ部 2ａ,3ａが夫々形成され、各ハウジング２, ３にはプラグを装着する為のプラグ装着孔 2ｂ,3ｂが夫々形成されている。ハウジング２, ３は夫々のフランジ部 2ａ,3ａの当接面を密着状に接着することで一体化されている。
【００２３】
ハウジング２，３の左側面と右側面とには、取付け用金具４の側板部６，６を係合させるために段落ちさせた矩形状の係合段落ち面２ｃが夫々形成されている。但し、矩形状の係合段落ち面２ｃの外周側に、一段高い矩形枠状の外周壁部２ｄが形成され、その外周壁部２ｄの下端部の前後方向中央部に、取付け用金具４の連結板部５の角部を係合させる為に、係合段落ち面２ｃに連なる係合切欠き部２ｅが夫々形成されている。ハウジング２，３の底面には、係合切欠き部２ｅに連続する係合段落ち面が形成されている。
【００２４】
図２に示すように、取付け用金具４は、バネ性のある金属薄板製（例えば、厚さ約0.3 mm) のバネ鋼板を曲げ形成したコ字状の一体品であり、左右に対称の構造である。
取付け用金具４は、左右方向に長い帯状の連結板部５と、この連結板部５の左右両端から夫々ほぼ直角に上側に屈曲され且つ連結板部５の前後両端よりも前後両方へ延びる１対の対向する側板部６，６とを一体形成したものである。
【００２５】
図１〜図６，図９，図１０に示すように、側板部６は矩形形状であり、この側板部６には、その中段部の弾性係止爪８と、この弾性係止爪８よりも連結板部５側に位置する第１側板片１０と、前記の弾性係止爪８に対し第１側板片１０と反対側に位置する第２側板片１１と、後端部の後端片６ａとが形成されている。
【００２６】
弾性係止爪８は、側板部６の外面外へ傾斜状に切り起した切り起し片に形成され、この弾性係止爪８の後端は後端片６ａに連なる固定端となり、弾性係止爪８はその後端から前端にいくほど左右方向外側へ突出するように傾斜している。弾性係止爪８の前端が自由端であり、その自由端側部分は側板部６と平行に形成されている。光アダプタ１を取付けパネル１８に装着したとき、弾性係止爪８の自由端側の前端部が取付けパネル１８の外面に接近対向して、光アダプタ１の前後方向のガタつきを防止するように形成されている。
【００２７】
図２〜図７に示すように、第１側板片１０は、前後方向へ細長く延びるほぼ矩形形状であり、この第１側板片１０の後端は後端片６ａに連なる固定端で、前端が自由端である。第１側板片１０の自由端側の前端部には、前方ほど光アダプタ１から離隔して第１側板片１０の外面外へ突出するように傾斜し且つ取付けパネル１８の装着穴１８ａの内面の一部に弾性的に係合する矩形形状の第２弾性係合部１２が一体的に形成されている。
【００２８】
図２〜図７に示すように、第２側板片１１は、前後方向に細長く延びるほぼ矩形形状であり、この第２側板片１１の前端は後端片６ａに連なる固定端、前端が自由端である。第２側板片１１の自由端側の前端部には、取付けパネル１８の装着穴１８ａに係合される細幅の第１弾性係合部１３が一体的に形成されている。図７に示すように、第１弾性係合部１３は、第２側板片１１の前端部の下端で屈曲されて連結板部５側へ且つ光アダプタ１側へ向かって下り傾斜状に延びている。取付け用金具４を光アダプタ１の外面部に装着したとき、第１弾性係合部１３の先端部が、アダプタ１の側面に面接触するように、第１弾性係合部１３の先端部には当接面１３ａが形成されている。
【００２９】
図６，図７に示すように、上記の第１弾性係合部１３の長さは、第２側板片１１の上下幅とほぼ等しく、第１弾性係合部１３は第２側板片１１を含む鉛直面に対して約３５〜４５度をなすように屈曲形成されている。
【００３０】
ここで、光アダプタ１を取付ける為の取付けパネル１８について簡単に説明する。
図８に示すように、取付けパネル１８は、厚さ約1.6mm のアルミニウム板の両面に防錆被膜を形成したものである。取付けパネル１８には、光アダプタ１を１列状に装着する複数の矩形状の装着穴１８ａが形成されている。各装着穴１８ａの大きさは、例えば、縦寸法（図において前後方向長さ)9.5mm×横寸法（図において左右方向長さ) 13.1mmである。  
【００３１】
次に、取付け用金具４、この取付け用金具４を装着した光アダプタ１の作用、効果について説明する。光アダプタ１を取付けパネル１８に取付ける前に、図１に示すように、取付け用金具４を光アダプタ１の外面部に装着する。この場合、図２に示すように、連結板部５を下側とし、１対の側板部６，６が係合段落ち面２ｃに夫々対応する姿勢で取付け用金具４を保持し、図１に示すように、１対の側板部６，６を対応する係合段落ち面２ｃに夫々嵌め込む。
【００３２】
このとき、連結板部５の左右の角部が対応する係合切欠き部２ｅに夫々嵌まり、取付け用金具４が光アダプタ１の外面部に取付けられると、図９に示すように、１対の第１弾性部１３，１３の先端部の当接面１３ａ，１３ａが光アダプタ１の側面に夫々当接すると共に、第２側板片１１，１１が外側へ開くように弾性変形し、第２側板片１１，１１の前方側ほど光アダプタ１から離隔した傾斜状態となる。この装着状態において、取付け用金具４は光アダプタ１に対して上下方向と左右方向と前後方向に相対移動不能となり、取付け用金具４を光アダプタ１に一体的に装着することができる。  
【００３３】
次に、光アダプタ１を取付けパネル１８の装着穴１８ａに貫通状に装着して固定する場合には、先ず、図９の状態から図１０の状態になるように、装着穴１８ａに貫通状に装着する。このとき、左右１対の弾性係止爪８，８が内側へ弾性変形しながら装着穴１８ａを通過した後、１対の弾性係合爪８，８がその弾性力で元の切り起こし姿勢（図１０参照）に夫々復帰する。
【００３４】
それ故、弾性係合爪８，８の前端が取付けパネル１８の装着穴１８ａの外面（前面）に当接又は接近対向して、光アダプタ１は、取付けパネル１８の装着穴１８ａから離脱しないように抜け止めされた状態になり、光アダプタ１が前後方向にガタつかないようになる。尚、弾性係合爪８，８の長さを図１０のものより大きく形成することは簡単であるが、パネル１８の厚さも一定していないため、最大厚さのパネル１８の装着穴１８ａにも装着可能となるように弾性係合爪８，８の長さを設定してある。
【００３５】
光アダプタ１を取付け用金具４を介して取付けパネル１８の装着穴１８ａに装着した状態では、図１０に示すように、各第１弾性係合部１３，１３の先端部が光アダプタ１の側面に当接し、第２側板片１１，１１が装着穴１８ａの内面に当接係合し、第１弾性係合部１３，１３がアダプタ１の側面に沿うように弾性変形して第１弾性係合部１３，１３の屈曲度合いが小さくなった弾性変形状態となり、第１弾性係合部１３，１３の十分な弾性係合力により、アダプタ１が装着穴１８ａにガタつかないように保持される。
【００３６】
しかも、第１側板片１０，１０の前端の第２弾性係合部１２，１２が、装着穴１８ａの内面に弾性的に係合するため、この１対の第２弾性係合部１２，１２も、ガタつき解消にある程度寄与する。
【００３７】
このように、取付け用金具４を装着した光アダプタ１を取付けパネル１０の装着穴１８ａに貫通状に装着する際に、光アダプタ１の左右の側面と装着穴１８ａの内面との間の隙間の大きさに応じて屈曲度合い減少側へ、第１弾性係合部１３，１３が適度に弾性変形し、第２側板片１１，１１の前端部がパネル１８の装着穴１８ａの内面に密接状に押圧接触した状態に係合するので、装着穴１８ａの内面と光アダプタ１との間の隙間が解消され、光アダプタ１が左右方向にガタつくことがなくなる。光アダプタ１の左右の側面と装着穴１８ａの内面との間の隙間が大きい場合にも、小さい場合にも、第１弾性係合部１３，１３がその隙間の大きさに応じて弾性変形してガタつきが解消される。
【００３８】
特に、第２側板片１１の前端が自由端であるため、第２側板片１１の弾性変形許容量が大きく、また、第１弾性係合部１３の下端が自由端であるため、第１弾性係合部１３の弾性変形許容量が大きい。そのため、光アダプタ１の左右の側面と装着穴１８ａの内面との間の隙間が大きい場合にも、小さい場合にも、ガタつきを解消できるのである。
【００３９】
上記の取付け用金具４を装備した光アダプタ１では、上記の取付け用金具４による作用効果と同様の作用効果が得られるうえ、使用時の信頼性に優れる光アダプタとなる。
上記の光アダプタ取付け用金具４は、連結板部５と、１対の側板部６，６とを一体形成し、各側板部６に弾性係止爪８と、第１側板片１０と、第２側板片１１とを一体形成したので、１枚の金属薄板を打ち抜き成形加工することにより、非常に簡単に製作可能であるので、製作費の面で有利である。
【００４０】
次に、前記実施例を部分的に変更する変更形態について説明する。
１〕前記取付け用金具４では、１対の第１側板片１０，１０の前端部分に第２弾性係合部１２，１２を夫々設けたが、これら第２弾性係合部１２，１２を省略した構成の取付け用金具でもよい。
２〕前記取付け用金具４及び光アダプタ１は、前述した構造に限定されるものではなく、種々の変更を付加した形態で実施可能であり、ＳＣ形プラグを接続する光アダプタ１に限らず、ＭＵ形プラグ又はＬＣ形プラグを接続する光アダプタ１にも、本発明を適用可能であることは勿論である。
【図面の簡単な説明】
【００４１】
【図１】本発明の実施例に係る取付け用金具を装着した光アダプタの斜視図である。
【図２】光アダプタ取付け用金具の斜視図である。
【図３】側板部の側面図である。
【図４】取付け用金具の平面図である。
【図５】取付け用金具の後面図である。
【図６】取付け用金具の正面図である。
【図７】第１弾性係合部を含む要部の部分拡大正面図である。
【図８】取付けパネルの部分平面図である。
【図９】取付け用金具を装着した光アダプタの平面図である。
【図１０】取付け用金具を装着した光アダプタを取付けパネルに固定した平面図である。
【符号の説明】
【００４２】
１          光アダプタ
４          光アダプタ取付け用金具
５          連結板部
６          側板部
８          弾性係止爪
１０        第１側板片
１１        第２側板片
１３        第１弾性係合部
１２        第２弾性係合部
１８        パネル
１８ａ      装着穴
【図１】
2007187891.tif 000003
【図２】
2007187891.tif 000004
【図３】
2007187891.tif 000005
【図４】
2007187891.tif 000006
【図５】
2007187891.tif 000007
【図６】
2007187891.tif 000008
【図７】
2007187891.tif 000009
【図８】
2007187891.tif 000010
【図９】
2007187891.tif 000011
【図１０】
2007187891.tif 000012